(57)【特許請求の範囲】
【請求項１】
前身頃及び後身頃を個別又は一体的に構成する外装体と、前身頃から後身頃にわたるように外装体の内側に設けられた、吸収体とを備え、
前身頃の外装体の両側縁部と後身頃の外装体の両側縁部とが接合されてサイドシール部が形成されることにより、ウエスト開口及び左右一対の脚開口が形成されたパンツタイプ使い捨ておむつにおいて、
前記前身頃及び後身頃の少なくとも一方における外装体は、胴周り領域に幅方向に連続する伸縮領域を有しており、
少なくとも前記伸縮領域は、不織布からなる第１シート層と、不織布からなる第２シート層との間に弾性フィルムが積層されてなるとともに、前記弾性フィルムが前記伸縮領域の伸縮方向に伸長された状態で、前記第１シート層及び第２シート層が、前記伸縮方向及びこれと直交する方向にそれぞれ間隔を空けて配列された多数の接合部で、前記弾性フィルムに形成された貫通孔を通じて接合されており、
前記伸縮領域は、幅方向中間の領域である中間伸縮域と、この中間伸縮域の幅方向一方側及び他方側の領域である第１伸縮域及び第２伸縮域とを有しており、
前記弾性フィルムは、前記第１伸縮域における前記サイドシール部から前記中間伸縮域を経て第２伸縮域の前記サイドシール部まで延在する帯状体であり、
第１伸縮域及び第２伸縮域では、前記中間伸縮域に向かって斜め下向きとなる方向に前記弾性フィルムが伸長された状態で、前記第１シート層及び第２シート層の前記多数の接合部で接合がなされている、
ことを特徴とするパンツタイプ使い捨ておむつ。
【請求項２】
前記中間伸縮域は前記吸収体の幅方向範囲と同じか又は狭い幅方向領域であり、前記中間伸縮域では幅方向に前記弾性フィルムが伸長された状態で前記第１シート層及び第２シート層の接合がなされている、請求項１記載のパンツタイプ使い捨ておむつ。
【請求項３】
前記前身頃における外装体は前記伸縮領域を有しており、この前身頃における伸縮領域では、前記第１伸縮域及び第２伸縮域における前記接合部の面積率が、前記中間伸縮域における前記接合部の面積率よりも低い、請求項１又は２記載のパンツタイプ使い捨ておむつ。
【請求項４】
前記後身頃における外装体は前記伸縮領域を有しており、この後身頃における伸縮領域では、前記中間伸縮域における前記接合部の面積率が、前記第１伸縮域及び第２伸縮域における前記接合部の面積率よりも低い、請求項１〜３のいずれか１項に記載のパンツタイプ使い捨ておむつ。
【請求項５】
前記中間伸縮域の股間側の部分と前記吸収体とが重なる部分を有するとともに、この重なる部分で前記外装体と前記内装体とが接合されており、
前記中間伸縮域の股間側の部分における前記接合部の面積率が、前記中間伸縮域のウエスト側の部分における前記接合部の面積率よりも低い、請求項１〜４のいずれか１項に記載のパンツタイプ使い捨ておむつ。
【請求項６】
前記伸縮領域における前記接合部の面積は０．１４〜３．５ｍｍ2であり、
自然長状態における前記貫通孔の開口の面積は、前記接合部の面積の１〜１．５倍であり、
前記伸縮領域における前記接合部の面積率は１．８〜２２．５％である、
請求項１〜３のいずれか１項に記載のパンツタイプ使い捨ておむつ。
【請求項７】
前記弾性フィルムは、前記第１伸縮域では前記ウエスト開口の縁に対する間隔が拡大するように前記サイドシール部から前記中間伸縮域に向かって斜め下向きに延在し、前記中間伸縮域では前記ウエスト開口の縁に対する間隔を空けた状態で幅方向に沿って延在し、かつ前記第２伸縮域では前記ウエスト開口の縁に対する間隔が縮小するように前記中間伸縮域側の端部から前記サイドシール部に向かって斜め上向きに延在しており、
前記弾性フィルムと前記ウエスト開口の縁との間に、ウエスト部弾性部材が幅方向に沿って伸長した状態で設けられている、
請求項１〜６のいずれか１項に記載のパンツタイプ使い捨ておむつ。
【発明の詳細な説明】
【技術分野】
【０００１】
本発明は、弾性フィルムをシート層で挟んでなる弾性フィルム伸縮構造を備えたパンツタイプ使い捨ておむつに関する。
【背景技術】
【０００２】
パンツタイプ使い捨ておむつは、前身頃及び後身頃を個別又は一体的に構成する外装体と、前身頃から後身頃にわたるように外装体の内面に取り付けられた、吸収体を含む内装体とを備え、前身頃の外装体の両側縁部と後身頃の外装体の両側縁部とが接合されてサイドシール部が形成されることにより、ウエスト開口及び左右一対の脚開口が形成されているものが一般的である。
【０００３】
外装体は、サイドシール部を有する前後方向範囲（ウエスト開口から脚開口の上端に至る前後方向範囲）として定まる胴周り領域と、脚開口を形成する部分の前後方向範囲として定まる中間領域とを有しており、中間領域は内装体の側方に位置するカバー部を有しており、胴周り領域やカバー部に伸縮領域を形成することが一般的となっている（例えば、特許文献１、２参照）。
【０００４】
外装体に伸縮領域を形成するための手法としては、従来、糸ゴム等の細長状弾性伸縮部材を長手方向に伸長した状態で多数並べて固定する手法が広く採用されているが、面的なフィット性に優れるものとして、弾性フィルムを伸縮性の付与方向に伸長した状態で取り付ける手法も提案されている。（例えば特許文献３参照）。
【０００５】
この弾性フィルムをシート層で挟んだ伸縮構造（以下、弾性フィルム伸縮構造ともいう）は、伸縮領域が不織布からなる第１シート層と、不織布からなる第２シート層との間に弾性フィルムが積層されてなるとともに、弾性フィルムがそれらの表面に沿う伸縮方向に伸長された状態で、第１シート層及び第２シート層が、伸縮方向及びこれと直交する方向にそれぞれ間隔を空けて配列された多数の接合部で、弾性フィルムに形成された貫通孔を通じて接合されてなるものである。このような弾性フィルム伸縮構造は、自然長状態では、接合部間において弾性フィルムが収縮するのに伴い、接合部の間隔が狭くなり、第１シート層及び第２シート層における接合部間に伸縮方向と交差する方向に延びる収縮皺が形成される。反対に伸長時には、接合部間において弾性フィルムが伸長するのに伴い、接合部の間隔及び第１シート層及び第２シート層における収縮皺が広がり、第１シート層及び第２シート層の完全展開状態まで弾性伸長が可能となる。この弾性フィルム伸縮構造は、面的なフィット性に優れるのはもちろん、第１シート層及び第２シート層と弾性フィルムとの接合が無く、かつ第１シート層及び第２シート層の接合も極めて少ないため非常に柔軟であり、また、弾性フィルムの貫通孔が通気性向上にも寄与するという利点がある。
【０００６】
しかしながら、この弾性フィルム伸縮構造は、伸縮方向がおむつの幅方向のみで、しかも直線的であるため、装着に際しておむつの胴周りを広げながら同時に引き上げにくいという問題点を有していた。また、鼠蹊部や臀部の膨らみに対するフィット性が不十分であるという問題点も有していた。
【先行技術文献】
【特許文献】
【０００７】
【特許文献１】特開２００７−８２８９０号公報
【特許文献２】特開２０１４−２０４８０５号公報
【特許文献３】特表２００４−５３２７５８号公報
【発明の概要】
【発明が解決しようとする課題】
【０００８】
そこで本発明の主たる課題は、弾性フィルム伸縮構造を有するものでありながら、装着時における胴周りの拡大及び引上げを容易に行うことができるパンツタイプ使い捨ておむつ提供することにある。
【課題を解決するための手段】
【０００９】
上記課題を解決した本発明は次のとおりである。
＜請求項１記載の発明＞
前身頃及び後身頃を個別又は一体的に構成する外装体と、前身頃から後身頃にわたるように外装体の内側に設けられた、吸収体とを備え、
前身頃の外装体の両側縁部と後身頃の外装体の両側縁部とが接合されてサイドシール部が形成されることにより、ウエスト開口及び左右一対の脚開口が形成されたパンツタイプ使い捨ておむつにおいて、
前記前身頃及び後身頃の少なくとも一方における外装体は、胴周り領域に幅方向に連続する伸縮領域を有しており、
少なくとも前記伸縮領域は、不織布からなる第１シート層と、不織布からなる第２シート層との間に弾性フィルムが積層されてなるとともに、前記弾性フィルムが前記伸縮領域の伸縮方向に伸長された状態で、前記第１シート層及び第２シート層が、前記伸縮方向及びこれと直交する方向にそれぞれ間隔を空けて配列された多数の接合部で、前記弾性フィルムに形成された貫通孔を通じて接合されており、
前記伸縮領域は、幅方向中間の領域である中間伸縮域と、この中間伸縮域の幅方向一方側及び他方側の領域である第１伸縮域及び第２伸縮域とを有しており、
前記弾性フィルムは、前記第１伸縮域における前記サイドシール部から前記中間伸縮域を経て第２伸縮域の前記サイドシール部まで延在する帯状体であり、
第１伸縮域及び第２伸縮域では、前記中間伸縮域に向かって斜め下向きとなる方向に前記弾性フィルムが伸長された状態で、前記第１シート層及び第２シート層の前記多数の接合部で接合がなされている、
ことを特徴とするパンツタイプ使い捨ておむつ。
【００１０】
（作用効果）
本発明においては、胴周り領域の少なくとも伸縮領域が弾性フィルム伸縮構造とされており、弾性フィルムの自然長状態では、接合部間の第１シート層及び第２シート層が互いに離間する方向に膨らんで、伸縮方向と交差する方向に延びる収縮皺が形成される。この状態で弾性フィルムの貫通孔と接合部との間に隙間が形成されていればその隙間により、また、この状態で弾性フィルムの貫通孔と接合部との間に隙間が形成されていなくても、幅方向にある程度伸長した装着状態では、接合部が伸びないのに対して弾性フィルムの貫通孔が伸びるため、弾性フィルムにおける接合部の貫通孔と、接合部との間に隙間が形成され、弾性フィルムの素材が無孔のフィルムやシートであっても、この隙間により通気性が付加される。よって、本発明の伸縮領域は通気性が高いものとなる。
特に、本発明における伸縮領域は、幅方向一方側の第１伸縮領域及び他方側の第２伸縮領域では、中間伸縮域に向かって斜め下向きとなる方向に弾性フィルムが伸長された状態で、第１シート層及び第２シート層の接合がなされているため、斜め方向の伸縮性を有するものとなる。したがって、装着に際しておむつの胴周りを広げながら同時に引き上げるとき、胴周りを広げる方向及び引上げ方向の両方に弾性伸縮できるため、臀部等の膨らみに引っかかりにくく、また当該伸縮領域を有する身頃を持って引き上げてもその力が反対の身頃に伝わりやすいため、胴周りの拡大及び引上げを容易に行うことができるようになる。また、装着状態では鼠蹊部や臀部の膨らみに対するフィット性が向上するようになる。
【００１１】
＜請求項２記載の発明＞
前記中間伸縮域は前記吸収体の幅方向範囲と同じか又は狭い幅方向領域であり、前記中間伸縮域では幅方向に前記弾性フィルムが伸長された状態で前記第１シート層及び第２シート層の接合がなされている、請求項１記載のパンツタイプ使い捨ておむつ。
【００１２】
（作用効果）
第１伸縮領域及び第２伸縮領域の伸縮性を最大限発揮させるためには、中間伸縮領域は吸収体の幅方向範囲と同じか又は狭い幅方向領域であることが好ましく、また吸収体の不要な変形を防止するためには中間伸縮領域は幅方向に伸縮するように構成されていることが好ましい。
【００１３】
＜請求項３記載の発明＞
前記前身頃における外装体は前記伸縮領域を有しており、この前身頃における伸縮領域では、前記第１伸縮域及び第２伸縮域における前記接合部の面積率が、前記中間伸縮域における前記接合部の面積率よりも低い、請求項１又は２記載のパンツタイプ使い捨ておむつ。
【００１４】
（作用効果）
本発明のような弾性フィルム伸縮構造では、基本的に、接合部の面積率が低いほど第１シート層及び第２シート層が弾性フィルムにより収縮する部分が多くなるため、弾性限界伸び（伸長可能な長さ）が大きくなる、つまり伸びやすくなる。ここで、「弾性限界伸び」とは、弾性限界（換言すれば第１シート層及び第２シート層が完全に展開した状態）における伸びを意味し、弾性限界時の長さを自然長を１００％としたときの百分率で表すものであり、「面積率」とは単位面積に占める対象部分の割合を意味し、対象領域（例えば伸縮領域）における対象部分（例えば接合部、貫通孔の開口）の総面積を当該対象領域の面積で除して百分率で表すものであり、特に「接合部の面積率」とは、伸縮方向に弾性限界まで伸ばした状態の面積率を意味するものである。
よって、本項記載のように、前身頃における伸縮領域において、第１伸縮域及び第２伸縮域における接合部の面積率が、中間伸縮域における接合部の面積率よりも低いと、鼠蹊部に対するフィット性や脚の動きに対する脚開口の追従性が高いものとなる。
【００１５】
＜請求項４記載の発明＞
前記後身頃における外装体は前記伸縮領域を有しており、この後身頃における伸縮領域では、前記中間伸縮域における前記接合部の面積率が、前記第１伸縮域及び第２伸縮域における前記接合部の面積率よりも低い、請求項１〜３のいずれか１項に記載のパンツタイプ使い捨ておむつ。
【００１６】
（作用効果）
前述のように、本発明のような弾性フィルム伸縮構造では、基本的に、接合部の面積率が低いほど第１シート層及び第２シート層が弾性フィルムにより収縮する部分が多くなるため、弾性限界伸び（伸長可能な長さ）が大きくなる、つまり伸びやすくなる。「弾性限界伸び」、「面積率」、「接合部の面積率」の定義は前述のとおりである。
よって、本項記載のように、後身頃における伸縮領域において、中間伸縮域における接合部の面積率が、第１伸縮域及び第２伸縮域における接合部の面積率よりも低いと、臀部の膨らみの大きい部分と対応する中間伸縮域の伸縮性が高いものとなるため、臀部の膨らみに対するフィット性が高いものとなる。
【００１７】
＜請求項５記載の発明＞
前記中間伸縮域の股間側の部分と前記吸収体とが重なる部分を有するとともに、この重なる部分で前記外装体と前記内装体とが接合されており、
前記中間伸縮域の股間側の部分における前記接合部の面積率が、前記中間伸縮域のウエスト側の部分における前記接合部の面積率よりも低い、請求項１〜４のいずれか１項に記載のパンツタイプ使い捨ておむつ。
【００１８】
（作用効果）
前述のように、本発明のような弾性フィルム伸縮構造では、基本的に、接合部の面積率が低いほど第１シート層及び第２シート層が弾性フィルムにより収縮する部分が多くなるため、弾性限界伸び（伸長可能な長さ）が大きくなる、つまり伸びやすくなる。「弾性限界伸び」、「面積率」、「接合部の面積率」の定義は前述のとおりである。
よって、本項記載のように中間伸縮域の股間側の部分（吸収体と重なる部分であって、かつ外装体と内装体とが接合される部分）における接合部の面積率が、ウエスト側の部分における接合部の面積率よりも低いと、吸収体を有する部分の伸縮性が高いものとなるため、第１伸縮域及び第２伸縮域による斜め上方向の引き上げ作用が吸収体に対して強く持ち上げるように作用し、吸収体を有する部分のフィット性が高いものとなる。
【００１９】
＜請求項６記載の発明＞
前記伸縮領域における前記接合部の面積は０．１４〜３．５ｍｍ2であり、
自然長状態における前記貫通孔の開口の面積は、前記接合部の面積の１〜１．５倍であり、
前記伸縮領域における前記接合部の面積率は１．８〜２２．５％である、
請求項１〜３のいずれか１項に記載のパンツタイプ使い捨ておむつ。
【００２０】
（作用効果）
接合部の面積及び貫通孔の開口の面積、並びに接合部の面積率は適宜定めれば良いが、通常の場合、上記範囲内とすることが望ましい。なお、貫通孔の開口の面積は、当該伸縮構造が自然長の状態における値を意味し、貫通孔の開口の面積が、弾性フィルムの表と裏で異なる等、厚み方向に均一でない場合には最小値を意味する。
【００２１】
＜請求項７記載の発明＞
前記弾性フィルムは、前記第１伸縮域では前記ウエスト開口の縁に対する間隔が拡大するように前記サイドシール部から前記中間伸縮域に向かって斜め下向きに延在し、前記中間伸縮域では前記ウエスト開口の縁に対する間隔を空けた状態で幅方向に沿って延在し、かつ前記第２伸縮域では前記ウエスト開口の縁に対する間隔が縮小するように前記中間伸縮域側の端部から前記サイドシール部に向かって斜め上向きに延在しており、
前記弾性フィルムと前記ウエスト開口の縁との間に、ウエスト部弾性部材が幅方向に沿って伸長した状態で設けられている、
請求項１〜６のいずれか１項に記載のパンツタイプ使い捨ておむつ。
【００２２】
（作用効果）
本発明の第１伸縮域及び第２伸縮域では、弾性フィルムが中間伸縮域に向かって斜め下向きとなる方向に伸長された状態で第１シート層及び第２シート層の接合がなされるため、所定幅の帯状の弾性フィルムを用い、ウエスト部まで弾性フィルムを入れる場合には、弾性フィルムをウエスト開口の縁の位置からはみ出させて第１シート層及び第２シート層の接合を行った後に、はみ出した部分を切断する必要がある。しかし、このような切断による廃棄物（トリムロス）が発生することは好ましくない。これに対して、本項記載の発明のような構造とすると、弾性フィルムの切断による廃棄物を無くしつつ、かつウエスト部に強い伸縮性を付加することができるため好ましい。
【発明の効果】
【００２３】
以上のとおり、本発明によれば、弾性フィルム伸縮構造を有するものでありながら、装着時における胴周りの拡大及び引上げを容易に行うことができる、等の利点がもたらされる。
【図面の簡単な説明】
【００２４】
【図１】完全展開状態のパンツタイプ使い捨ておむつの平面図（内面側）である。
【図２】完全展開状態のパンツタイプ使い捨ておむつの平面図（外面側）である。
【図３】（ａ）は外装体の要部平面図、（ｂ）は（ａ）のＤ−Ｄ断面図、（ｃ）は装着状態における断面図、（ｄ）は自然長状態における断面図である。
【図４】（ａ）は図１のＣ−Ｃ断面図、（ｂ）は図１のＥ−Ｅ断面図である。
【図５】図１のＡ−Ａ断面図である。
【図６】図１のＢ−Ｂ断面図である。
【図７】完全展開状態のパンツタイプ使い捨ておむつの要部のみ示す平面図である。
【図８】幅方向にある程度伸長した外装体の要部断面を概略的に示す断面図である。
【図９】完全展開状態の外装体の要部概略平面図である。
【図１０】接合部のパターンを示す要部拡大平面図である。
【図１１】完全展開状態のパンツタイプ使い捨ておむつの平面図（外面側）である。
【図１２】実施形態のサンプルの自然長状態における写真である。
【図１３】実施形態のサンプルの伸長状態における写真である。
【図１４】弾性フィルムが断裂した後の自然長状態を示す写真である。
【図１５】溶着工程の概略図である。
【図１６】接合部の拡大写真である。
【図１７】第１シート層及び第２シート層を剥離した状態の接合部の拡大写真である。
【図１８】接合部の各種配列例を示す平面図である。
【図１９】完全展開状態の前身頃の要部拡大平面図である。
【図２０】完全展開状態の後前身頃の要部拡大平面図である。
【図２１】完全展開状態の前身頃の要部拡大平面図である。
【図２２】完全展開状態の後前身頃の要部拡大平面図である。
【発明を実施するための形態】
【００２５】
以下、本発明の一実施形態について、添付図面を参照しつつ詳説する。なお、断面図中の点模様部分はホットメルト接着剤等の接合手段を示している。
図１〜図７はパンツタイプ使い捨ておむつを示している。このパンツタイプ使い捨ておむつ（以下、単におむつともいう。）は、前身頃Ｆ及び後身頃Ｂをなす外装体２０と、この外装体２０の内面に固定され一体化された内装体１０とを有しており、内装体１０は液透過性表面シート１１と液不透過性裏面側シート１２との間に吸収体１３が介在されてなるものである。製造に際しては、外装体２０の内面（上面）に対して内装体１０の裏面がホットメルト接着剤などの接合手段によって接合（図７の斜線部分１０Ｂ）された後に、内装体１０及び外装体２０が前身頃Ｆ及び後身頃Ｂの境界である前後方向（縦方向）中央で折り畳まれ、その両側部が相互に熱溶着又はホットメルト接着剤などによって接合されてサイドシール部２１が形成されることによって、ウエスト開口及び左右一対のレッグ開口が形成されたパンツタイプ使い捨ておむつとなる。
【００２６】
（内装体の構造例）
内装体１０は、図４〜図６に示すように、不織布などからなる液透過性表面シート１１と、ポリエチレン等からなる液不透過性裏面側シート１２との間に、吸収体１３を介在させた構造を有しており、表面シート１１を透過した排泄液を吸収保持するものである。内装体１０の平面形状は特に限定されないが、図示形態のようにほぼ長方形とすることが一般的である。
【００２７】
吸収体１３の表面側（肌当接面側）を覆う液透過性表面シート１１としては、有孔又は無孔の不織布や多孔性プラスチックシートなどが好適に用いられる。不織布を構成する素材繊維は、ポリエチレン又はポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。液透過性表面シート１１に多数の透孔を形成した場合には、尿などが速やかに吸収されるようになり、ドライタッチ性に優れたものとなる。液透過性表面シート１１は、吸収体１３の側縁部を巻き込んで吸収体１３の裏面側まで延在している。
【００２８】
吸収体１３の裏面側（非肌当接面側）を覆う液不透過性裏面側シート１２は、ポリエチレン又はポリプロピレンなどの液不透過性プラスチックシートが用いられるが、近年はムレ防止の点から透湿性を有するものが好適に用いられる。この遮水・透湿性シートは、例えばポリエチレンやポリプロピレン等のオレフィン樹脂中に無機充填材を溶融混練してシートを形成した後、一軸又は二軸方向に延伸することにより得られる微多孔性シートである。
【００２９】
吸収体１３としては、公知のもの、例えばパルプ繊維の積繊体、セルロースアセテート等のフィラメントの集合体、あるいは不織布を基本とし、必要に応じて高吸収性ポリマーを混合、固着等してなるものを用いることができる。この吸収体１３は、形状及びポリマー保持等のため、必要に応じてクレープ紙等の、液透過性及び液保持性を有する包装シート１４によって包装することができる。
吸収体１３の形状は、股間部に前後両側よりも幅の狭い括れ部分１３Ｎを有するほぼ砂時計状に形成されているが、長方形状等、適宜の形状とすることができる。括れ部分１３Ｎの寸法は適宜定めることができるが、括れ部分１３Ｎの前後方向長さはおむつ全長の２０〜５０％程度とすることができ、その最も狭い部分の幅は吸収体１３の全幅の４０〜６０％程度とすることができる。このような括れ部分１３Ｎを有する場合において、内装体１０の平面形状がほぼ長方形とされていると、内装体１０における吸収体１３の括れ部分１３Ｎと対応する部分に、吸収体１３を有しない余り部分が形成される。
【００３０】
内装体１０の両側部には脚周りにフィットする立体ギャザーＢＳが形成されている。この立体ギャザーＢＳは、図５及び図６に示されるように、内装体の裏面の側部に固定された固定部と、この固定部から内装体の側方を経て内装体の表面の側部まで延在する本体部と、本体部の前後端部が倒伏状態で内装体の表面の側部に固定されて形成された倒伏部分と、この倒伏部分間が非固定とされて形成された自由部分とが、折り返しによって二重シートとしたギャザー不織布１５により形成されている。
【００３１】
また、二重シート間には、自由部分の先端部等に細長状ギャザー弾性部材１６が配設されている。ギャザー弾性部材１６は、製品状態において図５に二点鎖線で示すように、弾性伸縮力により自由部分を起立させて立体ギャザーＢＳを形成するためのものである。
【００３２】
液不透過性裏面側シート１２は、液透過性表面シート１１とともに吸収体１３の幅方向両側で裏側に折り返されている。この液不透過性裏面側シート１２としては、排便や尿などの褐色が出ないように不透明のものを用いるのが望ましい。不透明化としては、プラスチック中に、炭酸カルシウム、酸化チタン、酸化亜鉛、ホワイトカーボン、クレイ、タルク、硫酸バリウムなどの顔料や充填材を内添してフィルム化したものが好適に使用される。
【００３３】
ギャザー弾性部材１６としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。また、外側から見え難くするため、太さは９２５ｄｔｅｘ以下、テンションは１５０〜３５０％、間隔は７．０ｍｍ以下として配設するのがよい。なお、ギャザー弾性部材１６としては、図示形態のような糸状の他、ある程度の幅を有するテープ状のものを用いることもできる。
【００３４】
前述のギャザー不織布１５を構成する素材繊維も液透過性表面シート１１と同様に、ポリエチレン又はポリプロピレン等のオレフィン系、ポリエステル系、アミド系等の合成繊維の他、レーヨンやキュプラ等の再生繊維、綿等の天然繊維とすることができ、スパンボンド法、サーマルボンド法、メルトブローン法、ニードルパンチ法等の適宜の加工方法に得られた不織布を用いることができるが、特にはムレを防止するために坪量を抑えて通気性に優れた不織布を用いるのがよい。さらにギャザー不織布１５については、尿などの透過を防止するとともに、カブレを防止しかつ肌への感触性（ドライ感）を高めるために、シリコン系、パラフィン金属系、アルキルクロミッククロイド系撥水剤などをコーティングした撥水処理不織布を用いるのが望ましい。
【００３５】
（外装体の構造例）
外装体２０は、図４〜図６にも示されるように、第１シート層２０Ａ及び第２シート層２０Ｂの間に、弾性フィルム３０及び幅方向に沿う細長状弾性部材２４が配設され、幅方向の伸縮性が付与されている。外装体２０の平面形状は、中間両側部にそれぞれレッグ開口を形成するために形成された凹状の脚周りライン２９により、全体として擬似砂時計形状をなしている。外装体２０は、前後に二分割し、両者が股間部で前後方向に離間するように配置しても良い。
【００３６】
より詳細に説明すると、図示形態の外装体２０においては、前身頃Ｆと後身頃Ｂとが接合されたサイドシール部２１の縦方向範囲として定まる胴周り領域Ｔの内、ウエスト部２３にウエスト部弾性部材２４が設けられている。図示形態のウエスト部弾性部材２４は、縦方向に間隔をおいて配置された複数の糸ゴム等の細長状弾性部材であり、身体の胴周りを締め付けるように伸縮力を与えるものである。ウエスト部弾性部材２４は、間隔を密にして実質的に一束として配置されるのではなく、所定の伸縮ゾーンを形成するように３〜８ｍｍ程度の間隔を空けて、３本以上、好ましくは５本以上配置される。ウエスト部弾性部材２４の固定時の伸長率は適宜定めることができるが、通常の成人用の場合２３０〜３２０％程度とすることができる。ウエスト部弾性部材２４としては、一本又は複数本の帯状弾性部材を用いることもできる。
【００３７】
ウエスト部弾性部材２４は、図示例では糸ゴムを用いたが、例えばテープ状の伸縮部材を用いても良く、またこれに代えて、後述の弾性フィルムをウエスト部２３まで延在させてもよい。図示形態のウエスト部弾性部材２４は、第２シート層２０Ｂの構成材をウエスト開口縁で内面側に折り返してなる折り返し部分２０Ｃに挟持されているが、第１シート層２０Ａの構成材と第２シート層２０Ｂの構成材との間に挟持しても良い。
【００３８】
第１シート層２０Ａ及び第２シート層２０Ｂの構成材は、シート状のものであれば特に限定無く使用できるが、通気性及び柔軟性の観点から不織布を用いることが好ましい。不織布は、その原料繊維が何であるかは特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。不織布を用いる場合、その目付けは１０〜２５ｇ／ｍ2程度とするのが好ましい。また、第１シート層２０Ａ及び第２シート層２０Ｂは、その一部又は全部が一枚の資材を折り返して対向させた一対の層であっても良い。
【００３９】
本実施形態では、図２に示すように、外装体２０における前身頃Ｆの胴周り領域Ｔ、後身頃Ｂの胴周り領域Ｔ、及びそれらの間の中間領域Ｌに、弾性フィルム伸縮構造２０Ｘが形成されている。すなわち、この外装体２０の伸縮構造２０Ｘでは、吸収体１３と重なる部分を含む幅方向中間部分（重なる部分の一部でも全部でも良く、内装体固定部１０Ｂのほぼ全体を含むことが望ましい）に非伸縮領域７０が設けられるとともに、その幅方向両側におけるサイドシール部２１までの部分が伸縮領域８０とされている。そして、これら伸縮領域８０及び非伸縮領域７０の全体にわたり、図３に示すように、第１シート層２０Ａと、第２シート層２０Ｂとの間に弾性フィルム３０が積層されてなるとともに、弾性フィルム３０が幅方向に伸長された状態で、第１シート層２０Ａ及び第２シート層２０Ｂが、伸縮方向及びこれと直交する方向にそれぞれ間隔を空けて配列された多数の接合部４０で、弾性フィルム３０に形成された貫通孔３１を通じて接合されている。この場合、第１シート層２０Ａ及び第２シート層２０Ｂと弾性フィルム３０（後述の溶融固化物除く）とは接合されていないことが望ましいが、接合することも可能である。
【００４０】
このような弾性フィルム伸縮構造２０Ｘでは、基本的に、接合部４０の面積率が高くなるほど第１シート層２０Ａ及び第２シート層２０Ｂが弾性フィルム３０により収縮する部分が少なくなるため、弾性限界伸びが低下する傾向があり、またそれに伴い、弾性フィルム３０における貫通孔３１の開口の面積率も高くなり、伸縮方向と直交する方向に占める弾性フィルム３０の伸縮方向連続部分の割合が減るため、伸長時に発生する収縮力が小さくなるとともに弾性フィルム３０が断裂しやすくなる傾向がある。このような特性を利用して、非伸縮領域７０では、接合部４０の面積率が伸縮領域８０よりも高いことにより、伸縮方向の弾性限界伸びが１３０％以下（好ましくは１２０％以下、より好ましくは１００％）とする一方、伸縮領域８０では、接合部４０の面積率が非伸縮領域７０よりも低いことにより、伸縮方向の弾性限界伸びが２００％以上（好ましくは２６５〜２９５％）とすることができる。
【００４１】
伸縮領域８０では、図３（ｄ）に示すように、弾性フィルム３０の自然長状態では、接合部間の第１シート層２０Ａ及び第２シート層２０Ｂが互いに離間する方向に膨らんで、伸縮方向と交差する方向に延びる収縮皺２５が形成され、図３（ｃ）に示すように、幅方向にある程度伸長した装着状態でも、収縮皺２５は伸ばされるものの、残るようになっている。また、図示形態のように、第１シート層２０Ａ及び第２シート層２０Ｂは、少なくとも接合部４０における第１シート層２０Ａ及び第２シート層２０Ｂ間以外では弾性フィルム３０と接合されていないと、装着状態を想定した図３（ｃ）及び第１シート層２０Ａ及び第２シート層２０Ｂの完全展開状態を想定した図３（ａ）（ｂ）からも分かるように、これらの状態では、弾性フィルム３０における接合部の貫通孔３１と、接合部４０との間に隙間が形成され、弾性フィルム３０の素材が無孔のフィルムやシートであっても、この隙間により通気性が付加される。なお、装着状態及び自然長状態の収縮皺２５の状態は、図１２〜図１４のサンプル写真にも現れている。
【００４２】
非伸縮領域７０では、図１２〜図１４のサンプル写真からも分かるように、接合部４０間に筋状に盛り上がった部分あるいは極めて微小な皺が形成されるが、接合部４０の面積率が非常に高いために伸縮性は実質的に殺されることになる。
【００４３】
また、本実施形態では、図２及び図９（ａ）に示されるように、伸縮領域８０における非伸縮領域７０側の端部が、当該端部を除いた主伸縮部分８１よりも接合部４０の面積率が低い緩衝伸縮部分８２とされる。この緩衝伸縮部分により伸長時に次のような変化が起きると考えられる。すなわち、いま自然長状態から徐々に力を加えて伸長していくことを考えると、緩衝伸縮部分８２及び主伸縮部分８１がともに伸びるものの、緩衝伸縮部分８２が主伸縮部分８１よりも先に弾性限界まで伸び切って完全展開状態（図３（ｂ）の状態）となり、主伸縮部分８１は不完全展開状態（図３（ｃ）の状態）にある第１段階と、その後に主伸縮部分８１が弾性限界まで伸び切って完全展開状態（図３（ｂ）の状態）となる第２段階とが存在する。第１段階では、緩衝伸縮部分８２は伸ばされるもののその弾性限界伸びは少なく、それゆえその際に弾性フィルム３０における緩衝伸縮部分８２及び非伸縮領域７０の境界に加わる張力も小さいから、緩衝伸縮部分８２及び非伸縮領域７０の境界における弾性フィルム３０の断裂は発生し難くなる。第２段階では、主伸縮部分８１が完全展開状態まで伸びる過程で、その伸びに応じた張力が主伸縮部分８１、緩衝伸縮部分８２及び非伸縮領域７０に加わる。しかし、緩衝伸縮部分８２は第１段階以上に伸びることができず、非伸縮領域７０及び緩衝伸縮部分８２に加わる張力は、非伸縮領域７０及び緩衝伸縮部分８２の全体にわたり第１シート層２０Ａ及び第２シート層２０Ｂが支えることになり、結果として、弾性フィルム３０における緩衝伸縮部分８２及び非伸縮領域７０の境界に加わる張力は第１段階の弾性限界伸び以上にならないから、第１段階と同様に、緩衝伸縮部分８２及び非伸縮領域７０の境界における弾性フィルム３０の断裂は発生しにくくなるのである。
【００４４】
これに対して、図９（ｂ）に示すように、緩衝伸縮部分８２を有しない形態とすることもできるが、その場合、伸縮領域８０の弾性限界伸びが大きく、弾性限界まで伸び切って完全展開状態となるまで、弾性フィルム３０における伸縮領域８０及び非伸縮領域７０の境界に加わる張力が増加し続けて大きくなるため、図１４に示すような伸縮領域８０及び非伸縮領域７０の境界に沿う弾性フィルム３０の断裂（図中の二点鎖線が断裂後の弾性フィルムの縁を示している）が発生しやすくなる。
【００４５】
以上の原理を考慮すると、非伸縮領域７０における伸縮方向と直交する方向の弾性フィルム３０の貫通孔３１間の間隔と同じ幅での弾性フィルム３０の伸縮方向の引張伸度より、緩衝伸縮部分８２の弾性限界伸びが小さいと、伸縮領域８０及び非伸縮領域７０の境界における弾性フィルム３０の断裂を確実に防止できるようになるため好ましい。
【００４６】
個々の接合部４０及び貫通孔３１の自然長状態での形状は、真円形、楕円形、長方形等の多角形（線状や角丸のものを含む）、星形、雲形等、任意の形状とすることができる。個々の接合部４０の大きさは、適宜定めれば良いが、大きすぎると接合部４０の硬さが感触に及ぼす影響が大きくなり、小さすぎると接合面積が少なく資材同士が十分に接着できなくなるため、通常の場合、個々の接合部４０の面積は０．１４〜３．５ｍｍ2程度とすることが好ましい。個々の貫通孔３１の開口の面積は、貫通孔３１を介して接合部４０が形成接合される場合には接合部４０以上であれば良いが、接合部４０の面積の１〜１．５倍程度とすることが好ましい。
【００４７】
また、各領域における個々の接合部４０の面積及び面積率は、通常は次の範囲内とすることが好ましい。
（非伸縮領域７０）
接合部４０の面積：０．１４〜３．５ｍｍ2（特に０．２５〜１．０ｍｍ2）
接合部４０の面積率：１６〜４５％（特に２５〜４５％）
（主伸縮部分８１）
接合部４０の面積：０．１４〜３．５ｍｍ2（特に０．１４〜１．０ｍｍ2）
接合部４０の面積率：１．８〜１９．１％（特に１．８〜１０．６％）
（緩衝伸縮部分８２）
接合部４０の面積：０．１４〜３．５ｍｍ2（特に０．２５〜１．０ｍｍ2）
接合部４０の面積率：８〜２２．５％（特に１２．５〜２２．５％）
【００４８】
このように三箇所（非伸縮領域７０、主伸縮部分８１及び緩衝伸縮部分８２）の接合部４０の面積率を異なるものとするには、図１０（ａ）に示すように単位面積当たりの接合部４０の数を変えたり、図１０（ｂ）に示すように個々の接合部４０の面積を変えたりすればよい。前者の場合、接合部４０の面積を、非伸縮領域７０、主伸縮部分８１及び緩衝伸縮部分８２のうちの二箇所以上で同じとする他、全箇所で異なるものとすることができ、後者の場合、単位面積当たりの接合部４０の数を、非伸縮領域７０、主伸縮部分８１及び緩衝伸縮部分８２うちの二箇所以上で同じとする他、全箇所で異なるものとすることができる。
【００４９】
接合部４０及び貫通孔３１の平面配列は適宜定めることができるが、規則的に繰り返される平面配列が好ましく、図１８（ａ）に示すような斜方格子状や、図１８（ｂ）に示すような六角格子状（これらは千鳥状ともいわれる）、図１８（ｃ）に示すような正方格子状、図１８（ｄ）に示すような矩形格子状、図１８（ｅ）に示すような平行体格子（図示のように、多数の平行な斜め方向の列の群が互いに交差するように２群設けられる形態）状等（これらが伸縮方向に対して９０度未満の角度で傾斜したものを含む）のように規則的に繰り返されるものの他、接合部４０の群（群単位の配列は規則的でも不規則でも良く、模様や文字状等でも良い）が規則的に繰り返されるものとすることもできる。接合部４０及び貫通孔３１の配列形態は、主伸縮部分８１、緩衝伸縮部分８２、及び非伸縮領域７０において同じものとする他、異なるものとすることもできる。
【００５０】
図１１に示すように、吸収体１３と重なる部分以外にも、例えば接合部４０を表示７１状に配置する等した非伸縮領域７０を設けることができ、この場合にも非伸縮領域７０から続く伸縮領域８０において、緩衝伸縮部分を設けることができる。なお、表示７１としては、吸収性物品の分野で公知の表示、例えば装飾のための模様（ワンポイントの絵やキャラクターを含む）、使用方法や使用補助、サイズ等の機能表示、あるいは製造者や製品名、特徴的機能等の標章表示等とすることができる。なお、図示形態では、植物模様である花模様の表示７１が付加されているが、抽象模様や動物模様、自然現象模様等、各種の模様を使用できることはいうまでもない。
【００５１】
弾性フィルム３０は特に限定されるものではなく、それ自体弾性を有する樹脂フィルムであれば特に限定なく用いることができ、例えば、スチレン系エラストマー、オレフィン系エラストマー、ポリエステル系エラストマー、ポリアミド系エラストマー及びポリウレタン系エラストマー等の熱可塑性エラストマーの１種又は２種以上のブレンド物を、Ｔダイ法やインフレーション法などの押出成形によりフィルム状に加工したものを用いることができる。また、弾性フィルム３０としては、無孔のものの他、通気のために多数の孔やスリットが形成されたものも用いることができる。特に、伸縮方向における引張強度が８〜２５Ｎ／３５ｍｍ、伸縮方向と直交する方向における引張強度が５〜２０Ｎ／３５ｍｍ、伸縮方向における引張伸度が４５０〜１０５０％、及び伸縮方向と直交する方向における引張伸度が４５０〜１４００％の弾性フィルム３０であると好ましい。なお、引張強度及び引張伸度（破断伸び）は、引張試験機（例えばＳＨＩＭＡＤＺＵ社製のＡＯＵＴＧＲＡＰＨＡＧＳ−Ｇ１００Ｎ）を用い、試験片を幅３５ｍｍ×長さ８０ｍｍの長方形状とした以外は、ＪＩＳ  Ｋ７１２７：１９９９「プラスチック−引張特性の試験方法−」に準じて、初期チャック間隔を５０ｍｍとし、引張速度を３００ｍｍ／ｍｉｎとして測定される値を意味する。弾性フィルム３０の厚みは特に限定されないが、２０〜４０μｍ程度であるのが好ましい。また、弾性フィルム３０の目付は特に限定されないが、３０〜４５ｇ／ｍ2程度であるのが好ましく、特に３０〜３５ｇ／ｍ2程度であるのが好ましい。
【００５２】
接合部４０における第１シート層２０Ａ及び第２シート層２０Ｂの接合は、ホットメルト接着剤によりなされていても良いが、ヒートシールや超音波シール等の素材溶着による接合手段によりなされている方が好ましい。ただし、素材溶着による接合手段を用いる場合、特許文献１記載のように、弾性フィルムの貫通孔を押し出しにより形成し、その貫通孔の位置で第１シート層及び第２シート層を直接に融着により接合することもできるが、剥離強度が低く、強い力が加わると剥がれるおそれがある。また、特許文献１記載のものは、弾性フィルムの貫通孔を押し出しにより形成するため、図８（ｂ）に示すように、第１シート層２０Ａ及び第２シート層２０Ｂ間に弾性フィルム３０が残らず、貫通孔３１の周囲に図示しない押し出し破片が移動可能に残るおそれもある。また、特許文献１記載のものと異なり、図８（ｃ）に示すように、弾性フィルム３０に貫通孔を形成せずに、弾性フィルム３０を介して第１シート層２０Ａ及び第２シート層２０Ｂを接合することも考えられるが、その場合はさらに剥離強度が低いものとなるだけでなく、貫通孔を有しないため通気性が極めて低いという問題点もある。
よって、素材溶着による接合手段を用いる場合には、図８（ａ）に示すように、接合部４０における第１シート層２０Ａ及び第２シート層２０Ｂの接合が、少なくとも、第１シート層２０Ａ及び第２シート層２０Ｂにわたる弾性フィルム３０の溶融固化物３０ｍによりなされている形態が好ましい。このように弾性フィルム３０の溶融固化物３０ｍを接着剤として第１シート層２０Ａ及び第２シート層２０Ｂを接合すると、剥離強度が高いものとなり、高い通気性と高い剥離強度とを両立できるようになる。
【００５３】
このような接合構造は、例えば図１５に示すように、第１シート層２０Ａと第２シート層２０Ｂとの間に、弾性フィルム３０を伸縮方向と直交する方向にほぼ均等な伸長率で伸縮方向に伸長しつつ挟んだ状態で、所定の接合部４０のパターンで溶着することにより、多数箇所で弾性フィルム３０を溶融して貫通孔３１を形成するとともに、その貫通孔３１の位置で少なくとも弾性フィルム３０の溶融物の固化により第１シート層２０Ａ及び第２シート層２０Ｂを接合する手法を用いて簡素かつ効率的に製造することができる。この場合、自然長状態では、個々の接合部４０の形状・面積と個々の貫通孔３１の形状・面積とがほぼ等しくなる。なお、図１５は、ヒートシール装置を用いた例を示しており、前述の接合部４０のパターンに配列された多数の加圧凸部６０ｐを外周面に備えたシールロール６０と、これに対向配置された表面平滑なアンビルロール６１とにより、第１シート層２０Ａ及び第２シート層２０Ｂ間に弾性フィルム３０を挟んだ状態の加工対象を挟み、加圧凸部６０ｐを加熱することにより、加圧凸部６０ｐとアンビルロール６１の外周面との間で厚み方向に加圧される部位のみ、弾性フィルム３０を溶融して貫通孔３１を形成するとともに、その貫通孔３１の位置で少なくとも弾性フィルム３０の溶融物の固化により第１シート層２０Ａ及び第２シート層２０Ｂを接合しているが、所望のパターンで弾性フィルム３０を溶融して貫通孔３１を形成するとともに、その貫通孔３１の位置で少なくとも弾性フィルム３０の溶融物の固化により第１シート層２０Ａ及び第２シート層２０Ｂを接合しうるものであれば、超音波シール等の他の装置を用いることもできる。
【００５４】
弾性フィルム３０の融点、並びに第１シート層２０Ａ及び第２シート層２０Ｂの融点、溶着箇所における加工温度の高低の関係は適宜定めることができるが、第１シート層２０Ａ及び第２シート層２０Ｂの融点が弾性フィルム３０の融点以下とされ、溶着箇所において第１シート層２０Ａ及び第２シート層２０Ｂの全体及び弾性フィルム３０の全体が溶融・混合し、接合部４０が形成されるよりも、第１シート層２０Ａ及び第２シート層２０Ｂの融点が弾性フィルム３０の融点よりも高く、溶着箇所で弾性フィルム３０が溶融するとともに、第１シート層２０Ａ及び第２シート層２０Ｂの一部又は全部が溶融しない方が好ましい。すなわち、後者の場合、図１６及び図１７からも分かるように、接合部４０の周囲から連続する第１シート層２０Ａ及び第２シート層２０Ｂの繊維２０ｆが残っており、第１シート層２０Ａ及び第２シート層２０Ｂにわたり浸透し固化した弾性フィルム３０の溶融固化物３０ｍにより第１シート層２０Ａ及び第２シート層２０Ｂが接合された構造となり、第１シート層２０Ａ及び第２シート層２０Ｂに対する弾性フィルム３０の溶融固化物３０ｍの食い付きが良好となるだけでなく、第１シート層２０Ａ及び第２シート層２０Ｂの強度が低下しにくくなるため、より一層剥離強度に優れたものとなる。なお、第１シート層２０Ａ及び第２シート層２０Ｂの一部が溶融しないことには、接合部の全繊維について芯（複合繊維における芯だけでなく単成分繊維の中心部分を含む）は残るがその周囲部分（複合繊維における鞘だけでなく単成分繊維の表層側の部分を含む）は溶融する形態や、一部の繊維は全く溶融しないが、残りの繊維は全部が溶融する又は芯は残るがその周囲部分は溶融する形態を含む。
【００５５】
このような観点から、弾性フィルム３０の融点は８０〜１４５℃程度のものが好ましく、第１シート層２０Ａ及び第２シート層２０Ｂの融点は８５〜１９０℃程度、特に１５０〜１９０℃程度のものが好ましく、また、第１シート層２０Ａ及び第２シート層２０Ｂの融点と弾性フィルム３０の融点との差は６０〜８０℃程度であるのが好ましい。
【００５６】
特徴的には、図１及び図２に示すように、前身頃Ｆ及び後身頃Ｂの伸縮領域８０は、幅方向中間の領域である中間伸縮域５０Ｃと、この中間伸縮域５０Ｃの幅方向一方側及び他方側の領域である第１伸縮域５０Ａ及び第２伸縮域５０Ｂとを有しており、第１伸縮域５０Ａ及び第２伸縮域５０Ｂでは、図中に矢印で示すように中間伸縮域５０Ｃに向かって斜め下向きの方向Ａ１，Ａ２に弾性フィルム３０が伸長された状態で、第１シート層２０Ａ及び第２シート層２０Ｂの接合がなされている。図示形態のように、幅方向一方側の第１伸縮領域８０及び他方側の第２伸縮領域８０で、中間伸縮域５０Ｃに向かって斜め下向きＡ１（言い換えれば、サイドシール部２１に向かって斜め上向き）に弾性フィルム３０が伸長された状態で、第１シート層２０Ａ及び第２シート層２０Ｂの接合がなされていると、斜め方向Ａ１，Ａ２の伸縮性を有するものとなる。したがって、装着に際しておむつの胴周りを広げながら同時に引き上げるとき、胴周りを広げる方向及び引上げ方向の両方に弾性伸縮できるため、臀部等の膨らみに引っかかりにくく、また当該伸縮領域８０を有する身頃、つまり図示形態では前身頃Ｆ及び後身頃Ｂのいずれかを持って引き上げてもその力が反対の身頃に伝わりやすいため、胴周りの拡大及び引上げを容易に行うことができるようになる。また、装着状態では鼠蹊部や臀部の膨らみに対するフィット性が向上するようになる。
【００５７】
図示形態のように、本発明では、弾性フィルム３０が第１伸縮域５０Ａにおけるサイドシール部２１から中間伸縮域５０Ｃを経て第２伸縮域５０Ｂのサイドシール部２１まで延在する帯状体とされるものであり、各領域に個別に弾性フィルム３０を設けるものではない。また、第１伸縮域５０Ａ及び第２伸縮域５０Ｂにおける弾性フィルム３０の伸長方向の角度θは特に限定されないが１５〜６５°の範囲内とすることが好ましく、図示形態のように前身頃Ｆ及び後身頃Ｂの両方に第１伸縮域５０Ａ及び第２伸縮域５０Ｂを設ける場合には前後で同じとしても、また異なるものとしても良い。
【００５８】
中間伸縮域５０Ｃ、第１伸縮域５０Ａ及び第２伸縮域５０Ｂの幅方向範囲は適宜定めることができるが、中間伸縮域５０Ｃは、吸収体１３の幅方向範囲と同じか又は狭い幅方向領域、具体的には吸収体１３の幅を１００％としたとき４０〜１００％の範囲とし、第１伸縮域５０Ａ及び第２伸縮域５０Ｂはこれよりも幅方向外側の幅方向範囲とするのが好ましい。
【００５９】
中間伸縮域５０Ｃは、第１伸縮領域８０及び第２伸縮領域８０の伸縮性を最大限発揮させるためには、中間伸縮領域８０は吸収体の幅方向範囲と同じか又は狭い幅方向領域であることが好ましい。よって、中間伸縮領域８０は、第１伸縮域５０Ａ側の端部又は全部では第１伸縮域５０Ａと同じ向き、第２伸縮域５０Ｂ側の端部又は全部では第２伸縮域５０Ｂと同じ向きに弾性フィルム３０が伸長された状態で、第１シート層２０Ａ及び第２シート層２０Ｂの接合がなされているのも好ましいが、吸収体１３の不要な変形を防止するためには、中間伸縮領域８０の幅方向の全部において幅方向Ａ３に弾性フィルム３０が伸長された状態で第１シート層２０Ａ及び第２シート層２０Ｂの接合がなされているのが好ましい。
【００６０】
上述のような弾性フィルム伸縮構造２０Ｘでは、基本的に、接合部４０の面積率が低いほど第１シート層２０Ａ及び第２シート層２０Ｂが弾性フィルム３０により収縮する部分が多くなるため、弾性限界伸び（伸長可能な長さ）が大きくなる、つまり伸びやすくなる。この特性を利用して、図１９に示すように、前身頃Ｆにおける伸縮領域８０では、第１伸縮域５０Ａ及び第２伸縮域５０Ｂにおける接合部４０の面積率を、中間伸縮域５０Ｃにおける接合部４０の面積率よりも低くすると、鼠蹊部に対するフィット性や脚の動きに対する脚開口の追従性が高くなるため好ましい。また、図２０に示すように、後身頃Ｂにおける伸縮領域８０では、中間伸縮域５０Ｃにおける接合部４０の面積率を、第１伸縮域５０Ａ及び第２伸縮域５０Ｂにおける接合部４０の面積率よりも低くすると、臀部の膨らみの大きい部分と対応する中間伸縮域５０Ｃの伸縮性が高いものとなり、臀部の膨らみに対するフィット性が高いものとなるため好ましい。これら前身頃Ｆの構造及び後身頃Ｂの構造は、両方を採用しても、またいずれか一方のみ採用しても良い。
【００６１】
上記例では、弾性フィルム伸縮構造２０Ｘにおける吸収体１３と重なる部分については非伸縮領域７０としているが、図２１に示すように伸縮領域８０とすることもできる。この場合、中間伸縮域５０Ｃの股間側の部分８３は吸収体１３と重なる部分であって、かつ外装体２０と内装体１０とが接合される部分となる。この際、図２に示すように、中間伸縮域５０Ｃの股間側の部分８３における接合部４０の面積率を、ウエスト側の部分における接合部４０の面積率よりも低くすると、吸収体１３を有する部分の伸縮性が高いものとなるため、第１伸縮域５０Ａ及び第２伸縮域５０Ｂによる斜め上方向の引き上げ作用が吸収体１３に対して強く持ち上げるように作用し、吸収体１３を有する部分のフィット性が高いものとなる。
【００６２】
他方、図２、図１９〜図２１に示す形態では、弾性フィルム３０が、第１伸縮域５０Ａではウエスト開口の縁に対する間隔が拡大するようにサイドシール部２１から中間伸縮域５０Ｃに向かって斜め下向きに延在し、中間伸縮域５０Ｃではウエスト開口の縁に対する間隔を空けた状態で幅方向に沿って延在し、かつ第２伸縮域５０Ｂではウエスト開口の縁に対する間隔が縮小するように中間伸縮域５０Ｃ側の端部からサイドシール部２１に向かって斜め上向きに延在しており、弾性フィルム３０とウエスト開口の縁との間に、ウエスト部弾性部材２４が幅方向に沿って伸長した状態で設けられているが、図２２に示す形態のようにウエスト部２３まで弾性フィルム３０を入れることも可能である。ただし、弾性フィルム３０が、第１伸縮域５０Ａにおけるサイドシール部２１から中間伸縮域５０Ｃを経て第２伸縮域５０Ｂのサイドシール部２１まで延在する帯状体であると、第１伸縮域５０Ａ及び第２伸縮域５０Ｂで、弾性フィルム３０を中間伸縮域５０Ｃに向かって斜め下向きとなる方向に伸長した状態で第１シート層２０Ａ及び第２シート層２０Ｂの接合を行いつつ、ウエスト部まで弾性フィルム３０を入れるためには、弾性フィルム３０をウエスト開口の縁の位置からはみ出させて第１シート層２０Ａ及び第２シート層２０Ｂの接合を行った後に、はみ出した部分を切断する必要がある。しかし、このような切断による廃棄物（トリムロス）が発生することは好ましくない。これに対して、図２、図１９〜図２１に示す形態のような構造とすると、弾性フィルム３０の切断による廃棄物を無くしつつ、かつウエスト部に強い伸縮性を付加することができるため好ましい。
【００６３】
図示例は、外装体２０の胴周り領域Ｔ及び中間領域Ｌの伸縮構造に弾性フィルム伸縮構造２０Ｘを適用した例であるが、ウエスト部２３を除いて適用したり、前身頃Ｆの胴周り領域Ｔと後身頃Ｂの胴周り領域Ｔとの間の中間領域Ｌには弾性フィルム伸縮構造２０Ｘを設けない形態としたりする等、適宜の変更が可能である。また、上述の伸縮構造２０Ｘは、パンツタイプ使い捨ておむつだけでなく、テープタイプ使い捨ておむつの胴周りやファスニングテープ、吸収性物品全般に汎用されている立体ギャザー、平面ギャザー等、他の伸縮部等にも適用することができる。また、本実施形態は非伸縮領域７０を有するものであるが、弾性フィルム伸縮構造２０Ｘの全体を伸縮領域とし、非伸縮領域を有しない形態とすることも可能である。さらにまた、図示例は伸縮方向が幅方向とされているが、前後方向としたり、幅方向及び前後方向の両方向としたりすることも可能である。
【００６４】
（前後押さえシート）
図１及び図４にも示されるように、外装体２０の内面上に取り付けられた内装体１０の前後端部をカバーし、且つ内装体１０の前後縁からの漏れを防ぐために、前後押さえシート５０，６０が設けられていても良い。図示形態について更に詳細に説明すると、前押さえシート５０は、前身頃Ｆ内面のうちウエスト側端部の折り返し部分２０Ｃの内面から内装体１０の前端部と重なる位置まで幅方向全体にわたり延在しており、後押さえシート６０は、後身頃Ｂ内面のうちウエスト側端部の折り返し部分２０Ｃの内面から内装体１０の後端部と重なる位置まで幅方向全体にわたり延在している。前後押さえシート５０，６０の股間側の縁部に幅方向の全体にわたり（中央部のみでも良い）若干の非接着部分を設けると、接着剤がはみ出ないだけでなく、この部分を表面シートから若干浮かせて防漏壁として機能させることができる。
【００６５】
図示形態のように、前後押さえシート５０，６０を別体として取り付けると、素材選択の自由度が高くなる利点があるものの、資材や製造工程が増加する等のデメリットもある。そのため、外装体２０をおむつ内面に折り返してなる折り返し部分２０Ｃを、内装体１０と重なる部分まで延在させて、前述の押さえシート５０，６０と同等の部分を形成することもできる。
【００６６】
＜明細書中の用語の説明＞
明細書中の以下の用語は、明細書中に特に記載が無い限り、以下の意味を有するものである。
・「伸長率」は、自然長を１００％としたときの値を意味する。
・「目付け」は次のようにして測定されるものである。試料又は試験片を予備乾燥した後、標準状態（試験場所は、温度２０±５℃、相対湿度６５％以下）の試験室又は装置内に放置し、恒量になった状態にする。予備乾燥は、試料又は試験片を相対湿度１０〜２５％、温度５０℃を超えない環境で恒量にすることをいう。なお、公定水分率が０．０％の繊維については、予備乾燥を行わなくてもよい。恒量になった状態の試験片から米坪板(２００ｍｍ×２５０ｍｍ、±２ｍｍ)を使用し、２００ｍｍ×２５０ｍｍ（±２ｍｍ）の寸法の試料を切り取る。試料の重量を測定し、２０倍して１平米あたりの重さを算出し、目付けとする。
・「厚み」は、自動厚み測定器（ＫＥＳ−Ｇ５  ハンディ圧縮計測プログラム）を用い、荷重：１０ｇｆ／ｃｍ2、及び加圧面積：２ｃｍ2の条件下で自動測定する。
・試験や測定における環境条件についての記載が無い場合、その試験や測定は、標準状態（試験場所は、温度２０±５℃、相対湿度６５％以下）の試験室又は装置内で行うものとする。
【産業上の利用可能性】
【００６７】
本発明は、上記例のようなパンツタイプ使い捨ておむつに利用できるものである。
【符号の説明】
【００６８】
Ｂ…後身頃、Ｆ…前身頃、Ｔ…胴周り領域、Ｌ…中間領域、１０…内装体、１１…液透過性表面シート、１２…液不透過性裏面側シート、１３…吸収体、１３Ｎ…括れ部分、１４…包装シート、１５…ギャザー不織布、１６…ギャザー弾性部材、２０…外装体、２０Ａ…第１シート層、２０Ｂ…第２シート層、２０Ｃ…折り返し部分、２０Ｘ…伸縮構造、２１…サイドシール部、２３…ウエスト部、２４…ウエスト部弾性部材、２５…収縮皺、２９…脚周りライン、３０…弾性フィルム、３１…貫通孔、４０…接合部、５０Ａ…第１伸縮域、５０Ｂ…第２伸縮域、５０Ｃ…中間伸縮域、７０…非伸縮領域、７１…表示、８０…伸縮領域、８１…主伸縮部分、８２…緩衝伸縮部分。
【要約】      （修正有）【課題】弾性フィルム伸縮構造を有するパンツタイプ使い捨ておむつにおいて、装着時における胴周りの拡大及び引上げの容易化を図る。【解決手段】不織布からなる第１シート層と、不織布からなる第２シート層との間に弾性フィルム３０が積層されてなるとともに、弾性フィルムが伸縮領域８０の伸縮方向に伸長された状態で、第１シート層及び第２シート層が、伸縮方向及びこれと直交する方向にそれぞれ間隔を空けて配列された多数の接合部で、弾性フィルムに形成された貫通孔を通じて接合されており、伸縮領域は、幅方向中間の領域である中間伸縮域５０Ｃと、この中間伸縮域の幅方向一方側及び他方側の領域である第１伸縮域５０Ａ及び第２伸縮域５０Ｂとを有しており、第１伸縮域及び第２伸縮域では、中間伸縮域に向かって斜め下向きとなる方向に弾性フィルムが伸長された状態で、第１シート層及び第２シート層の接合がなされていることにより解決される。【選択図】図２【図１】
0005999790.tif 000002
【図２】
0005999790.tif 000003
【図３】
0005999790.tif 000004
【図４】
0005999790.tif 000005
【図５】
0005999790.tif 000006
【図６】
0005999790.tif 000007
【図７】
0005999790.tif 000008
【図８】
0005999790.tif 000009
【図９】
0005999790.tif 000010
【図１０】
0005999790.tif 000011
【図１１】
0005999790.tif 000012
【図１５】
0005999790.tif 000013
【図１８】
0005999790.tif 000014
【図１９】
0005999790.tif 000015
【図２０】
0005999790.tif 000016
【図２１】
0005999790.tif 000017
【図２２】
0005999790.tif 000018
【図１２】
0005999790.tif 000019
【図１３】
0005999790.tif 000020
【図１４】
0005999790.tif 000021
【図１６】
0005999790.tif 000022
【図１７】
0005999790.tif 000023